(57)【要約】      （修正有）【課題】照明器具の種類やランプ直径によらず、直管形ＬＥＤランプを確実に保持して落下する危険性を無くし、しかも、着脱が比較的簡単にできる落下防止器具を提供する。【解決手段】直管形ＬＥＤ照明器具の反射板に固定される落下防止器具取り付け部材９と、該部材９に係止され直管形ＬＥＤランプを保持する係止バンド１０とを備える。係止バンド１０の一端にある掛け孔１１を落下防止器具の係合突起６に係合し、次に係止バンドがＬＥＤランプ外周に密着するように、１列に並んでいる掛け孔１２を選択し、他端の係合突起６に係合することによって長さ調整できる機構を有し、照明器具本体の形状や、ＬＥＤランプの管径に拘わらず、直管形ＬＥＤランプ底部に隙間無く密着して保持する落下防止器具を提供する。【選択図】図４
0003167942.tif 000002
【実用新案登録請求の範囲】
【請求項１】
照明器具のかさ、反射板又は天井に固定される落下防止器具取り付け部材と、LEDランプに点状、線状、又は面状に接してLEDランプを保持する長さ調整可能な係止バンドからなり、前記落下防止器具取り付け部材に前記係止バンドを嵌合又は係止することを特徴とする落下防止器具。
【請求項２】
前記係止バンドは、長さ調整範囲に渡りバンド長手方向に貫通した少なくとも２個以上の掛け孔が少なくとも１列以上並んで形成してあり、一端に前記取り付け部材に係合するための掛け孔を形成していることを特徴とする請求項１に記載の落下防止器具。
【請求項３】
前記係止バンドは、無色透明、あるいは無色半透明で、可撓性、強靭性、耐熱性のあるプラスチック材料からなることを特徴とする請求項１に記載の落下防止器具。
【請求項４】
前記落下防止器具取り付け部材は、中央部に本体器具への取り付けネジ用の丸孔がある平板が形成され、両末端部に掛け孔と係合する係合突起を備えていることを特徴とする請求項１に記載の落下防止器具。
【請求項５】
前記落下防止器具取り付け部材は金属製の丸棒からなり、中央部に金属製の平板を溶接した構造からなることを特徴とする請求項４に記載の落下防止器具。
【請求項６】
前記落下防止器具取り付け部材は金属製の平板からなり、中央部に取り付けネジ用の丸孔が形成されたことを特徴とする請求項４に記載の落下防止器具。
【請求項７】
前記落下防止器具取り付け部材の係合突起は、水平位置よりもかさや反射板等の本体器具方向に折り曲げて鋭角に形成されることを特徴とする請求項４に記載の落下防止器具。
【請求項８】
前記落下防止器具取り付け部材の係合突起は、ポリエチレン等の樹脂で表面処理されていることを特徴とする請求項４に記載の落下防止器具。
【請求項９】
前記落下防止器具取り付け部材は、略コ字で、その幅は直管形LEDランプの略直径相当で、高さを略半径相当以下に形成したことを特徴とする請求項４記載の落下防止器具。
【考案の詳細な説明】
【技術分野】
【０００１】
本考案は、直管形LED照明器具からの直管形ＬＥＤランプの落下を防止するための落下防止器具に関する。
【背景技術】
【０００２】
近年、環境意識の高まりから、省電力化に優れたＬＥＤを光源に使用したＬＥＤ照明器具が盛んに用いられるようになってきた。特に最近は、従来の蛍光灯に代えて直管形ＬＥＤランプが使用されるようになってきた。この直管形ＬＥＤランプは、ＬＥＤ素子を管長さ方向に数十個以上配置するため、従来の蛍光灯に比べ重くなり、従来から使用しているソケットにそのまま直管形ＬＥＤランプを取り付けた場合に、ソケットの経年劣化で落下する可能性が大きくなるという問題がある。そこで、この問題を解決する手段として、特許文献１、２、３に示すような直管形LEDランプの落下防止器具が開示されている。
これらの落下防止器具は、直管形ＬＥＤ照明器具のかさや反射板等にネジや粘着層で固定される落下防止器具取り付け部材と直管形ＬＥＤランプ外周を受け止めるランプ保持部材から構成されていることを特徴とするものである。
【先行技術文献】
【特許文献】
【０００３】
【特許文献１】実用新案登録第３１５５０１８号
【特許文献２】実用新案登録第３１６２６５９号
【特許文献３】実用新案登録第３１６５５２８号
【考案の概要】
【考案が解決しようとする課題】
【０００４】
しかしながら、これら特許文献の落下防止器具においては、反射板と直管形ＬＥＤランプ間の距離や直管形ＬＥＤランプの管径によっては、十分な機能を発揮できない場合が生じる。すなわち反射板とＬＥＤランプの間隔が狭い場合や、ＬＥＤランプ管径が小さい場合は、ランプ保持部材の底部がＬＥＤランプ外周に接触せず、ソケットにかかるＬＥＤランプの負荷が大きくなり、ソケットが損傷し、ＬＥＤランプが脱落する可能性がある。またランプ保持部材と直管ＬＥＤランプの間に隙間があるため、ソケットから脱落したときＬＥＤランプが滑り落ちる恐れがある。
【０００５】
本考案は前述した従来の問題点を鑑みなされたものであり、照明器具、ランプ管径によらず、直管形LEDランプを確実に密着して保持することにより落下の危険性を無くし、しかも着脱が比較的簡単にできる落下防止器具を提供するものである。
【課題を解決するための手段】
【０００６】
本考案は、上記課題を解決するため、ランプ保持部材に、長さ調整できる機構を持たせ、照明器具本体の形状や、ＬＥＤランプの管径に関わらず、ＬＥＤランプに密着して保持する落下防止器具を提供するものである。
【０００７】
本請求項１の考案にあっては、照明器具のかさ、反射板又は天井に固定される落下防止器具取り付け部材と、LEDランプに点状、線状、又は面状に接してLEDランプを保持する長さ調整可能な係止バンドからなり、前記落下防止器具取り付け部材に前記係止バンドを嵌合又は係止することを特徴とするものである。
【０００８】
また、請求項２の考案にあっては、前記係止バンドは、長さ調整範囲に渡りバンド長手方向に貫通した少なくとも２個以上の掛け孔が少なくとも１列以上並んで形成してあり、一端に前記取り付け部材に係合するための掛け孔を形成していることを特徴とするものである。
【０００９】
また、請求項３の考案にあっては、前記係止バンドは、無色透明、あるいは無色半透明で、可撓性、強靭性、耐熱性のあるプラスチック材料からなることを特徴とするものである。
【００１０】
また、請求項４の考案にあっては、前記落下防止器具取り付け部材は、中央部には本体器具への取り付けネジ用の丸孔がある平板が形成され、両末端部に掛け孔と係合する系合突起を備えていることを特徴とするものである。
【００１１】
また、請求項５の考案にあっては、前記落下防止器具取り付け部材は金属製の丸棒からなり、中央部に金属製の平板を溶接した構造からなることを特徴とするものである。
【００１２】
また、請求項６の考案にあっては、前記落下防止器具取り付け部材は金属製の平板からなり、中央部に取り付けネジ用の丸孔が形成されたことを特徴とするものである。
【００１３】
また、請求項７の考案にあっては、前記落下防止器具取り付け部材の係合突起は、水平位置よりもかさや反射板等の本体器具方向に折り曲げて鋭角に形成されることを特徴とするものである。
【００１４】
また、請求項８の考案にあっては、前記落下防止器具取り付け部材の係合突起は、ポリエチレン等の樹脂で表面処理されていることを特徴とするものである。
【００１５】
また、請求項９の考案にあっては、前記落下防止器具取り付け部材は、略コ字で、その幅は直管形LEDランプの略直径相当で、高さを略半径相当以下に形成したことを特徴とするものである。
【考案の効果】
【００１６】
本考案によれば、係止バンドが長さ調整機構を有することによって、直管ＬＥＤ照明器具の種類、ＬＥＤランプの管径によらず、確実にＬＥＤランプの落下を防止できる。    
また、ＬＥＤランプ外周に密着するように係止バンドの掛け孔を選択し、落下防止取り付け部材の係合突起に、この掛け孔を係合する機構なので、簡単に長さを調整できる。
【図面の簡単な説明】
【００１７】
【図１】本考案の落下防止器具取り付け部材（丸棒タイプ）の斜視図である。
【図２】本考案の落下防止器具取り付け部材（平板タイプ）の斜視図である。
【図３】本考案の係止バンドの斜視図である。
【図４】本考案の落下防止器具取り付け部材に係止バンドを係合する方法を示した図である。
【図５】図２の落下防止器具取り付け部材に図３の係止バンドを係合した斜視図である。
【図６】直管形LEDランプに落下防止器具を取り付けた斜視図である。
【図７】落下防止器具の使用状態を示す正面図である。
【図８】図７のX−X断面図である。
【考案を実施するための形態】
【００１８】
以下、本考案における落下防止器具13の実施の形態を添付図面に基づいて説明する。本落下防止器具は、図５に示したように、図１の落下防止器具取り付け部材と図３の係止バンドとの組み合わせや、図２の落下防止器具取り付け部材と図３の係止バンドの組み合わせとからなる。
【００１９】
図１に示した本考案の落下防止器具取り付け部材（丸棒タイプ）５はステンレスなどの耐久性の高い丸棒と平板からなる。丸棒は略コの字状に形状加工され、その両先端を更に反射板方向に鋭角に折り曲げ係合突起６が形成されている。平板からなる天板部材７に、反射板への取り付け用ネジ孔８が形成され、溶接によって丸棒と一体化されている。
本係合突起はポリエチレン等で表面処理されていてもよく、これによって係止バンドへの損傷を防ぐことができる。
【００２０】
また図２には、本考案の別タイプの落下防止器具取り付け部材（平板タイプ）９を示している。５と同様の材料からなり、天板が一体に加工形成されており、溶接の必要が無い構造となっている。
【００２１】
図３に示した本考案の係止バンド１０は可撓性があり、強靭で、耐熱性のある無色透明、あるいは無色半透明のシリコンゴム等で作成される。係止バンドには、一端に落下防止器具取り付け部材の係合突起６に係合するための貫通孔である掛け孔１１が形成されている。更に長さ調整範囲に渡り、落下防止器具取り付け部材のもう一方の係合突起６に係合するための貫通孔である掛け孔１２が、バンド長さ方向に渡り一列形成されている。本例では、１列であるが２列以上あっても構わない。それに応じて係合突起も２個以上形成される。
【００２２】
実際の直管LEDランプへの落下防止器具の取り付けについて図４、図７、図８を用いて説明する。
まず落下防止器具取り付け部材9を、点線Aで示したように８のネジ孔を通してネジで反射板に取り付ける。
次に点線Bで示したように、落下防止器具取り付け部材9の係合突起６に係止バンド１０の一方の掛け孔１１を係合する。    
次に図７、図８に示したように、直管LEDランプ１を照明器具のソケット４に取り付けてから、係止バンド10を隙間のないように直管LEDランプ１の外周に沿わせ、緩みのない位置の掛け孔１２を選択し、図４の点線Cで示したように落下防止器具取り付け部材9のもう一方の係合突起6に掛け孔１２を係合する。
【００２３】
このようにして落下防止器具を取り付けるので、照明器具の種類やLEDランプの管径によらず、緩み無く取り付けられ、LEDランプ底部を確実に支えるので、落下を防止できる。
【符号の説明】
【００２４】
１は直管形LEDランプ
２は反射板
３はネジ
４はソケット
５、９は落下防止器具取り付け部材
６は係止突起
７は天板部材
８はネジ孔
１０は係止バンド
１１、１２は掛け孔
１３は落下防止器具
【図１】
0003167942.tif 000003
【図２】
0003167942.tif 000004
【図３】
0003167942.tif 000005
【図４】
0003167942.tif 000006
【図５】
0003167942.tif 000007
【図６】
0003167942.tif 000008
【図７】
0003167942.tif 000009
【図８】
0003167942.tif 000010